(57)【要約】  両吸込み型羽根車は、羽根車本体及び羽根車吸込み口金を特徴とする。羽根車本体は、吸込み口金アダプタ結合部材を含むことができる。羽根車吸込み口金は、羽根車本体の吸込み口金アダプタ結合部材に分解可能に結合するように構成された対応する吸込み口金アダプタ結合部材を有する取外し可能吸込み口金アダプタを含むことができ、これによって、取外し可能吸込み口金アダプタは、摩耗及び腐食が生じたとき取り外して交換でき、別個の鋳造及び／又は機械加工ピースとすることができる。
2020518760.tif 000002
【特許請求の範囲】
【請求項１】
両吸込み型羽根車であって、
吸込み口金アダプタ結合部材を有する羽根車本体と、
前記羽根車本体の前記吸込み口金アダプタ結合部材に分解可能に結合するように構成された対応する吸込み口金アダプタ結合部材を持つ取外し可能吸込み口金アダプタを有する羽根車吸込み口金であって、それによって、前記取外し可能吸込み口金アダプタが、摩耗及び腐食が生じたとき取り外して交換でき、別個の鋳造及び／又は機械加工ピースとすることができる、羽根車吸込み口金と、
を備える、両吸込み型羽根車。
【請求項２】
前記両吸込み型羽根車が、ネジ切り端を持つセットスクリューを備え、
前記吸込み口金アダプタ結合部材が、前記セットスクリューの前記ネジ切り端を受け入れるように構成されたネジ切り開口を含み、
前記対応する取外し可能吸込み口金アダプタが、前記取外し可能吸込み口金アダプタを前記羽根車本体に結合するために、前記セットスクリューが貫通できるようしかつ前記ネジ切り端部が前記吸込み口金アダプタ結合部材の前記ネジ切り開口に受け入れられるように構成された対応する開口を含む、
請求項１に記載の両吸込み型羽根車。
【請求項３】
前記セットスクリューが、ポンプ媒体の流れに対して平行に構成される、請求項２に記載の両吸込み型羽根車。
【請求項４】
前記吸込み口金アダプタ結合部材と前記これに対応する吸込み口金アダプタ結合部材が、前記羽根車本体と前記取外し可能吸込み口金アダプタとの間に完全ネジ式取付け部を与えるように構成された噛合せネジ切り面を有する、請求項１に記載の両吸込み型羽根車。
【請求項５】
前記両吸込み型羽根車が、ネジ切り端を有するセットスクリューを備え、
前記対応する吸込み口金アダプタ結合部材が、前記セットスクリューの前記ネジ切り端を受け入れるように構成されたネジ切り開口を含み、
前記吸込み口金アダプタ結合部材が、前記取外し可能吸込み口金アダプタを前記羽根車本体に結合するために、前記セットスクリューが貫通できるようにしかつ前記ネジ切り端が前記対応する吸込み口金アダプタ結合部材の前記ネジ切り開口に受け入れられるように構成された対応する開口を含む、
請求項１に記載の両吸込み型羽根車。
【請求項６】
前記セットスクリューが、前記ポンプ媒体の前記流れに対して垂直に構成される、請求項４に記載の両吸込み型羽根車。
【請求項７】
前記羽根車本体が、第２吸込み口金アダプタ結合部材を含み、
前記両吸込み型羽根車が、
前記羽根車本体の前記第２吸込み口金アダプタ結合部材に分解可能に結合するように構成された対応する第２吸込み口金アダプタ結合部材を持つ第２取外し可能吸込み口金アダプタを有する第２羽根車吸込み口金であって、前記第２取外し可能吸込み口金アダプタが、摩耗及び腐食が生じたとき取り外して交換でき、第２の別個の鋳造及び／又は機械加工ピースとすることができる、第２羽根車吸込み口金、
を備える、
請求項１に記載の両吸込み型羽根車。
【請求項８】
前記両吸込み型羽根車が、
対応するネジ切り端を有する第２セットスクリューを含み、
前記第２吸込み口金アダプタ結合部材が、前記第２セットスクリューの前記対応するネジ切り端を受け入れるように構成された第２ネジ切り開口を含み、
前記対応する第２吸込み口金アダプタ結合部材が、前記第２取外し可能吸込み口金アダプタを前記羽根車本体に結合するために、前記第２セットスクリューが貫通できるようにしかつ前記対応するネジ切り端が前記吸込み口金アダプタ結合部材の前記第２ネジ切り開口に受け入れられるように構成された対応する第２開口を含む、
請求項７に記載の両吸込み型羽根車。
【請求項９】
前記第２セットスクリューが前記ポンプ媒体の前記流れに対して平行に構成される、請求項８に記載の両吸込み型羽根車。
【請求項１０】
前記第２吸込み口金アダプタ結合部材と前記対応する第２吸込み口金アダプタ結合部材が、前記羽根車本体と前記第２取外し可能吸込み口金アダプタとの間に第２完全ネジ式取付け部を与えるように構成された第２噛合せネジ切り面を有する、請求項７に記載の両吸込み型羽根車。
【請求項１１】
前記両吸込み型羽根車が、対応するネジ切り端を有する第２セットスクリューを備え、
前記対応する第２吸込み口金アダプタ結合部材が、前記第２セットスクリューの前記対応するネジ切り端を受け入れるように構成された第２ネジ切り開口を含み、
前記第２吸込み口金アダプタ結合部材が、前記第２取外し可能吸込み口金アダプタを前記羽根車本体に結合するために、前記第２セットスクリューが貫通できるようにしかつ前記対応するネジ切り端が前記対応する第２吸込み口金アダプタ結合部材の前記第２ネジ切り開口に受け入れられるように構成された対応する第２開口を含む、
請求項８に記載の両吸込み型羽根車。
【請求項１２】
前記第２セットスクリューが前記ポンプ媒体の前記流れに対して垂直に構成される、請求項１１に記載の両吸込み型羽根車。
【請求項１３】
前記両吸込み型羽根車が、
前記吸込み口金アダプタ結合部材と前記対応する吸込み口金結合部材との間に配列されかつ漏出を防止するように構成されたガスケット、
を備える、請求項１に記載の両吸込み型羽根車。
【請求項１４】
前記両吸込み型羽根車が、
前記第２吸込み口金アダプタ結合部材と前記対応する第２吸込み口金アダプタ結合部材との間に配列されかつ漏出を防止するように構成された第２ガスケット、
を備える、請求項８に記載の両吸込み型羽根車。
【請求項１５】
前記両吸込み型羽根車が、
前記吸込み口金アダプタ結合部材と前記対応する吸込み口金アダプタ結合部材との間に配列されかつ漏出を防止するように構成されたＯリング、
を備える、請求項１に記載の両吸込み型羽根車。
【請求項１６】
前記両吸込み型羽根車が、
前記第２吸込み口金アダプタ結合部材と前記対応する第２吸込み口金アダプタ結合部材との間に配列されかつ漏出を防止するように構成された第２Ｏリング、
を備える、請求項８に記載の両吸込み型羽根車。
【請求項１７】
前記取外し可能吸込み口金アダプタと前記第２取外し可能吸込み口金アダプタが、対称形で交換可能な取外し可能吸込み口金アダプタとして構成される、
請求項８に記載の両吸込み型羽根車。
【請求項１８】
ポンプであって、
吸込み口金アダプタ結合部材を有する羽根車本体と、
前記羽根車本体の前記吸込み口金アダプタ結合部材に分解可能に結合するように構成された対応する吸込み口金アダプタ結合部材を持つ取外し可能吸込み口金アダプタを有する羽根車吸込み口金であって、前記取外し可能吸込み口金アダプタが、摩耗及び腐食が生じたとき取り外して交換でき、別個の鋳造及び／又は機械加工ピースとすることができる、羽根車吸込み口金と、
を有する、両吸込み型羽根車、
を備える、ポンプ。
【請求項１９】
前記ポンプが遠心ポンプである、請求項１８に記載のポンプ。
【請求項２０】
吸込み型羽根車であって、
吸込み口金アダプタ結合部材を有する羽根車本体と、
前記羽根車本体の前記吸込み口金アダプタ結合部材に分解可能に結合するように構成された対応する吸込み口金アダプタ結合部材を持つ取外し可能吸込み口金アダプタを有する羽根車吸込み口金であって、前記取外し可能吸込み口金アダプタが、摩耗又は腐食が生じたとき取り外して交換でき、別個の鋳造及び／又は機械加工ピースとすることができる、羽根車吸込み口金と、
を備える、吸込み型羽根車。
【請求項２１】
前記吸込み型羽根車が両吸込み型羽根車である、請求項２０に記載の吸込み型羽根車。
【発明の詳細な説明】
【関連出願の相互参照】
【０００１】
本出願は、２０１７年５月１日に提出された仮特許出願第６２／４９２６０２号（参照によりその全体が本明細書に援用される）に対する利益を請求する。
【技術分野】
【０００２】
本発明は、ポンプ、特に羽根車摩耗リングを有する遠心ポンプに関する。
【背景技術】
【０００３】
遠心ポンプ内において、羽根車がポンプケーシング内で自由に回転できるようにするために、回転する羽根車と静止するポンプケーシングとの間に小さい隙間スが維持されるように設計される。遠心ポンプの効率を最大にするためには、この隙間を通過する漏出の（ポンプの高圧又は排出側から低圧又は吸込み側へ戻る）量を最小限に抑える必要がある。この隙間を通過する液体の漏出及びその他の原因により、羽根車とポンプケーシングとの間のニアコンタクト点において摩耗及び腐食が生じる。摩耗が生じると、漏出は、受容できない大きさになり、ポンプの保守が必要となる。保守コストを最小限に抑えるために、多くの遠心ポンプが摩耗リングを持つように設計される。摩耗リングは、羽根車及び／又はポンプケーシングに取り付けられる交換可能部品であり、ポンプの耐用期間中定期的に交換されるように設計されて、よりコスト高の部品（即ち、羽根車及び／又はケーシング）の交換を防止する。これによって、実際の羽根車又はケーシングの摩耗を生じることなく、羽根車とポンプケーシングとの間の運転隙間を小さくできる。
【０００４】
上述の装置の欠点のいくつかは、下記のことを含む。
【０００５】
多くの市場が固有の摩耗リング構成を必要とする。あるものは、全く摩耗リングを必要としないが、その他のものは、ケーシング及び羽根車の両方に摩耗リングを含めたい場合がある。これに対応するために、様々な構成に利用可能な材料の量及びスペースが提供されなければならない。ケーシング及び羽根車における付加的材料は、製造上及び販売上の問題（即ち、鋳込みの問題、重量の増大、製造コストの増大など）を生じる。
【０００６】
摩耗リングに伴う別の一般的な問題は、かじり（galling）である。かじりは、２つの金属の運転隙間が密着して、圧送される流体の中の研磨物又は擦れによってバルが生じると発生する。これによって、局部的なホットスポットを生じて、２つの部品を融着させる。
【０００７】
例として、特許文献１は、対向する取入れ口金及び摩耗リング（図１に示すのと同様の）と一緒に受け入れられるように作られた対向する外部円筒形部分を持つ羽根車を有する両吸込み単段渦巻ポンプを開示する。摩耗リングは、羽根車シュラウドと対向する外部円筒形部分との間に配列される。外部円筒部分は、羽根車の構成部分を形成し、羽根車本体（これも、図１に示すものと同様である）から取外し又は分解可能ではない。特許文献１は、参照によりその全体が本明細書に援用される。
【先行技術文献】
【特許文献】
【０００８】
【特許文献１】米国特許第４５６３１２４号明細書
【発明の概要】
【発明が解決しようとする課題】
【０００９】
要約すると、本発明の目的は、羽根車の摩耗リングを取り除き、その代わりに羽根車自体の取外し可能構成要素と取り換えることである。羽根車摩耗リングが使用される場合、摩耗リングは羽根車吸込み口金の外径に乗る。その代わりに、本明細書においては、摩耗又は腐食が生じたとき吸込み口金を取り外して交換できるように、羽根車を改変することが提案される。羽根車の吸込み口金は、別個の鋳造及び／又は機械加工ピースとなる。これにより、羽根車ケーシング自体の重量が減少し、製造コストが削減される。
【課題を解決するための手段】
【００１０】
いくつかの実施形態によれば、本発明は、羽根車本体及び羽根車吸込み口金を特徴とする両吸込み型羽根車の形式を取ることができる。
【００１１】
羽根車本体は、吸込み口金アダプタ結合部材を含むことができる。
【００１２】
羽根車吸込み口金は、羽根車本体の吸込み口金アダプタ結合部材に分解可能に結合するように構成された対応する吸込み口金アダプタ結合部材を有する取外し可能吸込み口金アダプタを含むことができ、取外し可能吸込み口金アダプタは、摩耗及び腐食が生じたとき取り外して交換でき、別個の鋳造及び／又は機械加工ピースとすることができる。
【００１３】
本発明は、下記の特徴の１つ又はそれ以上を含むことができる。
【００１４】
両吸込み型羽根車は、ネジ切り端を持つセットスクリューを含むことができる。吸込み口金アダプタ結合部材は、セットスクリューのネジ切り端を受け入れるように構成されたネジ切り開口を含むことができ、対応する取外し可能吸込み口金アダプタは、取外し可能吸込み口金アダプタを羽根車本体に結合するために、セットスクリューが貫通できるようにしかつネジ切り端が吸込み口金アダプタ結合部材のネジ切り開口に受け入れられるように構成された対応する開口を含むことができる。この実施形態において、セットスクリューは、ポンプ媒体の流れ（両吸込み型羽根車の吸込み口金の中へ流れる）に対して平行に構成できる。
【００１５】
吸込み口金アダプタ結合部材とこれに対応する吸込み口金アダプタ結合部材は、羽根車本体と取外し可能吸込み口金アダプタとの間に完全ネジ式取付け部を与えるように構成された噛合せネジ切り面を含むことができる。
【００１６】
両吸込み型羽根車は、ネジ切り端を持つセットスクリューを含むことができる。対応する吸込み口金アダプタ結合部材は、セットスクリューのネジ切り端を受け入れるように構成されたネジ切り開口を含むことができる。吸込み口金アダプタ結合部材は、取外し可能吸込み口金アダプタを羽根車本体に結合するために、セットスクリューが貫通できるようにしかつネジ切り端が対応する吸込み口金アダプタ結合部材のネジ切り開口に受け入れられるように構成された対応する開口を含むことができる。この実施形態において、セットスクリューは、ポンプ媒体の流れに対して垂直に構成できる。
【００１７】
羽根車本体は、第２吸込み口金アダプタ結合部材を含むことができる。又、両吸込み型羽根車は、羽根車本体の第２吸込み口金アダプタ結合部材に分解可能に結合するように構成された対応する第２吸込み口金アダプタ結合部材を持つ第２取外し可能吸込み口金アダプタを有する第２羽根車吸込み口金を含むことができ、第２取外し可能吸込み口金アダプタは、摩耗及び腐食が生じたときに取り外して交換でき、別個の第２鋳造及び／又は機械加工ピースとすることができる。
【００１８】
両吸込み型羽根車は、対応するネジ切り端を持つ第２セットスクリューを含むことができる。第２吸込み口金アダプタ結合部材は、第２セットスクリューの対応するネジ切り端を受け入れるように構成された第２ネジ切り開口を含むことができる。対応する第２吸込み口金アダプタ結合部材は、第２取外し可能吸込み口金アダプタを羽根車本体に結合するために、第２セットスクリューが貫通できるようにしかつ対応するネジ切り端が吸込み口金アダプタ結合部材の第２ネジ切り開口に受け入れられるように構成された対応する第２開口を含むことができる。この実施形態において、第２セットスクリューは、ポンプ媒体の流れに対して平行に構成できる。
【００１９】
第２吸込み口金アダプタ結合部材と対応する第２吸込み口金アダプタ結合部材は、羽根車本体と第２取外し可能吸込み口金アダプタとの間に第２完全ネジ式取付け部を与えるように構成された第２噛合せネジ切り面を含むことができる。
【００２０】
両吸込み型羽根車は、対応するネジ切り端を持つ第２セットスクリューを含むことができる。対応する第２吸込み口金アダプタ結合部材は、第２セットスクリューの対応するネジ切り端を受け入れるように構成された第２ネジ切り開口を含むことができ、第２吸込み口金アダプタ結合部材は、第２取外し可能吸込み口金アダプタを羽根車本体に結合するために、第２セットスクリューが貫通できるようにしかつ対応するネジ切り端が対応する第２吸込み口金アダプタ結合部材の第２ネジ切り開口に受け入れられるように構成された対応する第２開口を含むことができる。この実施形態において、第２セットスクリューは、ポンプ媒体の流れに対して垂直に構成できる。
【００２１】
両吸込み型羽根車は、吸込み口金アダプタ結合部材とこれに対応する吸込み口金アダプタ結合部材との間に配列されかつ漏出を防止するように構成されたガスケットを含むことができる。両吸込み型羽根車は、第２吸込み口金アダプタ結合部材とこれに対応する第２吸込み口金アダプタ結合部材との間に配列されかつ漏出を防止するように構成された第２ガスケットも含むことができる。
【００２２】
両吸込み型羽根車は、吸込み口金アダプタ結合部材とこれに対応する吸込み口金アダプタ結合部材との間に配列されかつ漏出を防止するように構成されたＯリングを含むことができる。両吸込み型羽根車は、第２吸込み口金アダプタ結合部材とこれに対応する第２吸込み口金アダプタ結合部材との間に配列されかつ漏出を防止するように構成された第２Ｏリングも含むことができる。
【００２３】
取外し可能吸込み口金アダプタと第２取外し可能吸込み口金アダプタは、対称形で交換可能な取外し可能吸込み口金アダプタとして構成できる。
【００２４】
本発明は、本発明に従った羽根車本体及び１つ又は複数の羽根車吸込み口金を有する両吸込み型羽根車を特徴とするポンプの形式を取ることもできる。例えば、羽根車本体は、吸込み口金アダプタ結合部材を含むことができる。１つ又は複数の羽根車吸込み口金は、羽根車本体の吸込み口金アダプタ結合部材に分解可能に結合するように構成された対応する吸込み口金アダプタ結合部材を有する取外し可能吸込み口金アダプタを含むことができる。取外し可能吸込み口金アダプタは、摩耗及び腐食が生じたとき取り外して交換でき、別個の鋳造及び／又は機械加工ピースとすることができる。いくつかの実施形態によれば、ポンプは遠心ポンプである。
【００２５】
本発明は、本発明に従った羽根車本体及び羽根車吸込み口金を特徴とする吸込み型羽根車の形式を取ることもできる。羽根車本多は、吸込み口金アダプタ結合部材を含むことができる。羽根車吸込み口金は、羽根車本体の吸込み口金アダプタ結合部材に分解可能に結合するように構成された対応する吸込み口金アダプタ結合部材を有する取外し可能吸込み口金アダプタを含むことができる。取外し可能吸込み口金アダプタは、摩耗及び腐食が生じたとき取り外して交換でき、別個の鋳造及び／又は機械加工ピースとすることができる。いくつかの実施形態によれば、又、本明細書において開示するものと同様に、吸込み型羽根車は両吸込み型羽根車とすることができる。
【００２６】
実際に、本発明のいくつかの実施形態によれば、１つ又は複数の取外し可能で交換可能な吸込み口金アダプタは、例えば本明細書において開示するものと同様の１つ又は複数の取外し可能一体化摩耗リング式羽根車スカートの形式を取ることができる。
【００２７】
図面は必ずしも縮尺通りではない。
【図面の簡単な説明】
【００２８】
【図１】技術上既知の従来の羽根車摩耗リングの設計を示す。図示するような羽根車摩耗リングを持つ従来の両吸込み型羽根車において、羽根車摩耗リングは、焼き嵌めによって羽根車の吸込み口金の外径に保持される。図１において、羽根車の吸込み口金は、羽根車本体のいずれの側からも取外しできない。
【図２】本発明のいくつかの実施形態に従った取外し可能一体化摩耗リング式羽根車スカートを示す。例えば、羽根車吸込み口金は、保守のために交換部品となる取外し可能一体化摩耗リングとなる。
【図３】本発明のいくつかの実施形態に従った平行セットスクリュー取付けを示す。例えば、取外し可能一体化摩耗リング式羽根車スカートは、ポンプ媒体の流れに対して平行のセットスクリュー（例えばその他のタイプのボルト）を使用して羽根車の本体に保持される。図に示すように、漏出を防止するためにフラットガスケットが使用される。
【図４】本発明のいくつかの実施形態に従った完全ネジ式取付けを示す。
【図５】本発明のいくつかの実施形態に従った垂直セットスクリュー取付けを示す。例えば、取外し可能一体化摩耗リング式羽根車スカートは、ポンプ媒体の流れに対して垂直のセットスクリュー（又は他のタイプのボルト）を使用して羽根車本体に保持され、漏出を防止するためにＯリングが使用される。
【図６】技術上既知の従来の羽根車摩耗リング設計を持つ技術上既知の両吸込み型単段ポンプの例を示す。
【図７】技術上既知の片吸込み型羽根車設計の例を示す。
【００２９】
図において同様の部品又は構成要素には、一貫性のために同様の参照番号及びラベルを付ける。各要素のためのリード線及び関連する参照ラベルは、全体として図面の乱雑さを抑えるために、全ての図面に含まれるわけではない。
【発明を実施するための形態】
【００３０】
図２
【００３１】
図２は、羽根車本体１２及び全体が１４、１４’として示される１つ又は複数の吸込み口金を特徴とする、全体が１０として示される両吸込み型羽根車を示す。
【００３２】
羽根車本体１２は、吸込み口金アダプタ結合部材１８を含むことができる。例として、吸込み口金アダプタ結合部材１８は、図３〜５に関連して本明細書において開示するものと同様、セットスクリューを受け入れるためのネジ切り開口、ネジ切り噛合い面又はセットスクリューが貫通できるようにする非ネジ切り開口を含むことができる。
【００３３】
１つ又は複数の羽根車吸込み口金は、羽根車本体１２の吸込み口金アダプタ結合部材１８に分解可能に結合するように構成された対応する吸込み口金アダプタ結合部材２２を持つ取外し可能吸込み口金アダプタ２０を有する羽根車吸込み口金１４を含むことができる。これによって、取外し可能吸込み口金アダプタ２０は、摩耗及び腐食が生じたとき取り外して交換でき、別個の鋳造及び／又は機械加工ピースとすることができる。例として、吸込み口金アダプタ結合部材１８と同様に、対応する吸込み口金アダプタ結合部材２２は、図３〜５に関連して本明細書において開示するものと同様、セットスクリューを受け入れるためのネジ切り開口、ネジ切り噛合い面又はセットスクリューが貫通できるようにする非ネジ切り開口を含むことができる。
【００３４】
図３：平行セットスクリュー取付け
【００３５】
例として、図３は、吸込み口金アダプタ結合部材１８とこれに対応する吸込み口金アダプタ結合部材２２との間の、例えば平行セットスクリュー取付けを使用する分解可能結合の実施例を示す。
【００３６】
図３において、両吸込み型羽根車１０は、ネジ切り端２４ａを持つセットスクリュー２４を含むことができる。吸込み口金アダプタ結合部材１８は、セットスクリュー２４のネジ切り端２４ａを受け入れるように構成されたネジ切り開口１８ａを含むことができる。対応する取外し可能吸込み口金アダプタ２２は、取外し可能吸込み口金アダプタ１４を羽根車本体１２に結合するために、セットスクリュー２４が貫通できるようにしかつネジ切り端２４ａが吸込み口金アダプタ結合部材１８のネジ切り開口１８ａに受け入れられるように構成された対応する開口２２ａを含むことができる。この実施形態において、セットスクリュー２４は、ポンプ媒体の流れに対して平行に構成できる。
【００３７】
図４：完全ネジ式取付け
【００３８】
例として、図４は、吸込み口金アダプタ結合部材１８とこれに対応する吸込み口金アダプタ結合部材２２との間で、例えば全体を２６として示す完全ネジ式取付けを使用する別の分解可能結合の実施例を示す。図４において、取外し可能一体化摩耗リング式羽根車スカート（別名：吸込み口金アダプタ）は、部材又は部品１８、２２に機械加工された噛合いネジ山を使用して、羽根車１０の本体１２に保持される。
【００３９】
図４において、吸込み口金アダプタ結合部材１８とこれに対応する吸込み口金アダプタ結合部材２２は、羽根車本体１２と取外し可能吸込み口金アダプタ２０との間に完全ネジ式取付け部２６を与えるように構成された噛合せネジ切り面１８ｂ、２２ｂを含むことができる。
【００４０】
図５：垂直セットスクリュー取付け
【００４１】
例として、図５は、吸込み口金アダプタ結合部材１８とこれに対応する吸込み口金アダプタ結合部材２２との間の、例えば垂直セットスクリュー取付けを使用する更に別の分解可能結合の実施例を示す。
【００４２】
図５において、両吸込み型羽根車１０は、ネジ切り端２４ａを持つセットスクリュー２４を含むことができる。対応する吸込み口金アダプタ結合部材２２は、セットスクリュー２４のネジ切り端２４ａを受け入れるように構成されたネジ切り開口２２ｃを含むことができる。吸込み口金アダプタ結合部材１８は、取外し可能吸込み口金アダプタ２０を羽根車本体１２に結合するために、セットスクリュー２４が貫通できるようにしかつネジ切り端２４ａが対応する吸込み口金アダプタ結合部材２２のネジ切り開口２２ｂに受け入れられるように構成された対応する開口１８ｃを含むことができる。この実施形態において、セットスクリュー２４は、ポンプ媒体の流れに対して垂直に構成できる。
【００４３】
第２吸込み口金１６
【００４４】
図２に示すものと同様、両吸込み型羽根車１０は、第２吸込み口金１４’を含むことができる。この実施形態において、羽根車本体１２は、第２吸込み口金アダプタ結合部材１８’を含むことができる。第２吸込み口金１４’は、羽根車本体１２の第２吸込み口金アダプタ結合部材１８’に分解可能に結合するように構成された対応する第２吸込み口金アダプタ結合部材２２’を持つ第２取外し可能吸込み口金アダプタ２０’を含むことができる。これによって、第２取外し可能吸込み口金アダプタ２０’は、摩耗及び腐食が生じたとき取り外して交換でき、別個の第２鋳造及び／又は機械加工ピースとすることができる。
【００４５】
例として、対応する第２吸込み口金アダプタ結合部材２２’と第２吸込み口金アダプタ結合部材１８’は、図３〜５に示すような結合の実施例を使用して分解可能に結合できる。
【００４６】
図２に示すものと同様、取外し可能吸込み口金アダプタ２０と第２取外し可能吸込み口金アダプタ２０’は、対称形で交換可能な取外し可能吸込み口金アダプタとして構成できる。
【００４７】
ガスケット及びＯリング
【００４８】
両吸込み型羽根車１０は、吸込み口金アダプタ結合部材１８、１８’とこれに対応する吸込み口金アダプタ結合部材２２、２２’との間に配列されかつ漏出を防止するように構成された１つ又は複数のガスケット３０を含むことができる。ガスケット３０は、図３に示すようにフラットガスケットを含むことができる。
【００４９】
両吸込み型羽根車は、吸込み口金アダプタ結合部材１８、１８’とこれに対応する吸込み口金アダプタ結合部材２２、２２’との間に配列されかつ漏出を防止するように構成された１つまたは複数のＯリング３２を含むことができる。
【００５０】
分解可能結合の実施例
【００５１】
分解可能結合の実施例を、例として図３〜５に示す。但し、例えば要素１８、１８’及び２２、２２’などの構成要素又は部品を一緒に結合するための他のタイプ又は種類の分解可能結合の実施例（本発明の主旨の範囲内で現在既知のもの又は今後開発されるもの）を使用する実施形態が想定され、本発明の範囲はこれを含むことを意図する。言い換えると、本発明の範囲は、要素１８、１８’及び２２、２２’などの構成要素又は部品を一緒に結合するための特定のタイプ又は種類の分解可能結合の実施例に限定されることを意図しない。
【００５２】
図６
【００５３】
例えば、図６に示すような両吸込み単段ポンプを適切に改造することによって本発明を実施する実施形態が想定され、本発明の範囲はこれを含むことを意図する。
【００５４】
例として、図６に示すような両吸込み単段ポンプは、例えば図２〜５に示すような羽根車本体及び羽根車吸込み口金を持つ両吸込み型羽根車で適切に改造でき、両吸込み型羽根車は、例えば図２〜５に示すような吸込み口金アダプタ結合部材を含み、羽根車吸込み口金は、羽根車本体の吸込み口金アダプタ結合部材に分解可能に結合するように構成された対応する吸込み口金アダプタ結合部材を持つ取外し可能吸込み口金アダプタを含む。これによって、取外し可能吸込み口金アダプタは、摩耗及び腐食が生じたとき取り外して交換でき、例えば図２〜５に示すような別個の鋳造及び／又は機械加工ピースとすることができる。
【００５５】
当業者は、例えば本明細書において開示するように、図２〜５に示すように本発明を実施するために、不当な実験なしに図６に示すような両吸込み単段ポンプをどのように適切に改造するかを理解できるだろう。
【００５６】
図７
【００５７】
例えば、図７に示すような片吸込み型羽根車設計を適切に改造することによって、本発明を実施する実施形態が想定され、本発明の範囲はこれを含むことを意図する。
【００５８】
例として、図７に示すような片吸込み型羽根車設計は、例えば図２〜５に示すような羽根車本体及び羽根車吸込み口金を特徴とする吸込み型羽根車で適切に改造できる。羽根車本体は、例えば図２〜５に示すような吸込み口金アダプタ結合部材を含み、羽根車吸込み口金は、羽根車本体の吸込み口金アダプタ結合部材に分解可能に結合するように構成された対応する吸込み口金アダプタ結合部材を持つ取外し可能吸込み口アダプタを含む。それによって、取外し可能吸込み口金アダプタは、摩耗及び腐食が生じたとき取り外して交換でき、図２〜５に示すような別個の鋳造及び／又は機械加工ピースとすることができる。
【００５９】
当業者は、例えば本明細書において開示するように、図２〜５に示すように本発明を実施するために、不当な実験なしに図７に示すような片吸込み型羽根車設計をどのように適切に改造するかを理解できるだろう。
【００６０】
発明の範囲
【００６１】
本明細書において説明され図示される実施形態は、単なる例であり、本発明の範囲は、本明細書に含まれる特定の構成、寸法及び／又はこれらの部品又は要素の設計細部に限定されることを意図しない。言い換えると、当業者であれば、これらの実施形態に対して設計の変更を加えることができ、その結果の実施形態は本明細書において開示するものと異なるが、本発明の主旨の範囲内にある、ことがわかるはずである。
【００６２】
本明細書において特に明示しない限り、本明細書において特定の実施形態に関連して説明する特徴、特性、代替又は修正のどれも、本明細書において説明する他の実施形態に応用、使用または組み込むことができることが分かるはずである。
【００６３】
本発明について、その模範的実施形態に関連して説明したが、本発明の主旨及び範囲から逸脱することなく、上記の又はその他の様々な追加または省略が可能である。
【図１】
2020518760.tif 000003
【図２】
2020518760.tif 000004
【図３】
2020518760.tif 000005
【図４】
2020518760.tif 000006
【図５】
2020518760.tif 000007
【図６】
2020518760.tif 000008
【図７】
2020518760.tif 000009
【国際調査報告】
2020518760.tif 000010